(57)【要約】      （修正有）【課題】潮流や波あるいは僅かな操船によってもほぼ水平に近い状態を保ち、活烏賊に近い動きをさせて誘魚効果を発揮し、魚の食い付きを高めることができる疑似餌を提供する。【解決手段】柔軟性を有するゴムからなり、胴部２、頭部３及び足部４に相当する部分が一体的に形成され、胴部より足部側に向かって開口（開口部５ａ）した中空部分５を有する烏賊型中空疑似餌本体１の胴部先端部２ａ近傍に錘６を内蔵し、該擬似餌本体の胴部先端部２ａより、枝縄７が胴部中空部分５を通って頭部３乃至足部４側へ案内され、該枝縄端部に取り付けられた釣針８が足部４に配置されている疑似餌において、頭部乃至胴部の中空部分５に浮体１０の少なくとも一部が装着され、好ましくは、枝縄７もしくは釣針８の一部が少なくとも該浮体１０により固着あるいは支持される。【選択図】  図１
2006087410.tif 000002
【特許請求の範囲】
【請求項１】
柔軟性を有する天然もしくは合成樹脂又はゴムからなり、胴部、頭部及び足部に相当する部分が一体的に形成され、胴部より足部側に向かって開口した中空部分を有する烏賊型中空疑似餌本体の胴部先端近傍に錘を内蔵し、該擬似餌本体の胴部先端部より、枝縄（釣元またはハリス）が胴部中空部分を通って頭部乃至足部側へ案内され、該枝縄端部に取り付けられた釣針が足部に配置されている疑似餌において、頭部乃至胴部の中空部分に浮体の少なくとも一部が装着され、海水中において枝縄で吊った状態を保つとき、該疑似餌がほぼ水平状態を保つことができるバランスを有することを特徴とする延縄用の疑似餌。
【請求項２】
浮体が天然もしくは合成樹脂又はゴムの独立気泡体あるいは密閉中空体からなることを特徴とする請求項１に記載の延縄用の疑似餌。
【請求項３】
少なくとも釣針が、直接的に又は間接的に浮体により固着又は保持されていることを特徴とする請求項１又は２に記載の延縄用の疑似餌。
【請求項４】
枝縄もしくは釣針の一部が浮体に形成された窪み又はスリット状部分に嵌め込まれるか挟み込まれて固着又は保持されていることを特徴とする請求項１、２又は３に記載の延縄用の疑似餌。
【請求項５】
枝縄もしくは釣針の一部が浮体の表面と疑似餌の中空部分の内壁との間で固着又は保持されていることを特徴とする請求項１、２、３又は４に記載の延縄用の疑似餌。
【請求項６】
疑似餌が海水中で水平になったとき、釣針の頂部と元部を結ぶ線が疑似餌の長さ方向とほぼ平行になるように釣針がセットされていることを特徴とする請求項１、２、３、４又は５に記載の延縄用の疑似餌。
【請求項７】
錘が枝縄（釣元又はハリス）に挿通され、該錘と釣針間に、釣針の位置決めのためのチューブ体を装着したことを特徴とする請求項１、２、３、４、５又は６に記載の延縄用の疑似餌。
【請求項８】
中空部分に烏賊腑などの誘魚性物質を内封していることを特徴とする請求項１、２、３、４、５、６又は７に記載の延縄用の疑似餌。
【発明の詳細な説明】
【技術分野】
【０００１】本発明は、延縄用の烏賊型疑似餌に関するものである。
【背景技術】
【０００２】従来、延縄用の疑似餌としては、軟質ポリ塩化ビニルのような軟質の天然もしくは合成樹脂又は天然もしくは合成ゴムから烏賊などの形状に成型され、釣針がセットされたものが用いられている。このような疑似餌は、例えば烏賊型のものでは、図６に示すように、胴部２、頭部３及び足部４に相当する部分が一体に形成され、胴部より足部側に向かって開口した中空部分５を有する烏賊型中空疑似餌本体１の胴部先端近傍に錘６を内蔵し、その胴部先端部２ａより、枝縄７（釣元またはハリス）が胴部中空部分５を通って頭部３乃至足部４側へ案内され、該枝縄７端部に取り付けられた釣針８が足部にセットされた構造を有している。なお、錘６は疑似餌を海中に安定に沈めるためのものであるが、それ自体に設けられた枝縄通孔にて枝縄７に挿通され、さらに、枝縄７には該錘６と釣針８間に合成樹脂チューブ９が装着され、枝縄７を疑似餌本体の先端部２ａから引っ張るようにセットすることにより、このチューブ９によって錘６を疑似餌本体内部の先端部２ａに位置させ、かつチューブの長さによって釣針を足部内の所定の位置にセットすることができるように工夫されている。
しかしながら、このような疑似餌は、見かけの比重が海水よりかなり大きく、延縄操業時、海水中においてその胴部先端部を上にして枝縄から吊り下げられた状態に近く、疑似餌に対して形状、疑似餌材質、色、誘魚材の添加などの工夫を施しても、活魚のような動きが少ないため、誘魚効果が十分とは言えず、魚の食い付きが悪い。なお、このような疑似餌はトローリング用として使用するときは、高速で引かれるため前記延縄のような不都合は少ない。
【発明の開示】
【発明が解決しようとする課題】
【０００３】本発明は、海水中に投入されたとき、潮流や波あるいは僅かな操船によってもほぼ水平に近い状態を保ち、活烏賊の泳ぎに近い動きをさせて誘魚効果を発揮し、魚の食い付きを高めることができる延縄用疑似餌を提供するものである。
【課題を解決するための手段】
【０００４】本発明は、図１で代表されるように、柔軟性を有する天然もしくは合成樹脂またはゴムからなり、胴部２、頭部３及び足部４に相当する部分が一体的に形成され、胴部より足部側に向かって開口（開口部５ａ）した中空部分５を有する烏賊型中空疑似餌本体１の胴部先端部２ａ近傍に錘６を内蔵し、該擬似餌本体の胴部先端部２ａより、枝縄７（釣元またはハリス）が胴部中空部分５を通って頭部３乃至足部４側へ案内され、該枝縄端部に取り付けられた釣針８が足部４に配置されている疑似餌において、頭部乃至胴部の中空部分５に浮体１０の少なくとも一部が装着され、好ましくは、枝縄７もしくは釣針８の一部が少なくとも該浮体１０により固着あるいは支持されていて、海水中において枝縄で吊った状態を保つとき、該疑似餌がほぼ水平状態を保つことができるバランスを有することを特徴とする延縄用の疑似餌である。
【発明の効果】
【０００５】本発明によれば、本疑似餌に取り付けられた枝縄を通常通り幹縄に繋ぎ、延縄として海水中に投入されたとき、比重が水より大きい疑似餌本体の重量と疑似餌本体の先端部に存在する錘の重量によって、疑似餌が幹縄から枝縄を介して所定の水深位置に安定して吊り下げられ、しかも、前記疑似餌本体、錘、釣針の重量とそれらを含めた部分の浮力と、疑似餌本体の頭部乃至胴部にて装着された浮体の浮力のバランスによって、海水中において該疑似餌を枝縄の先でほぼ水平状態を保つようにすることができ、このことによって、潮流や波よってあるいは船によって延縄を引いたとき、該疑似餌を水中にてほぼ水平に近い状態に保持させ、疑似餌に胴部先端部を基点とした上下の動きと、疑似餌本体自体の柔軟さとくびれや足の枝分かれ構造からくる揺れ（あおり）の動きにによって、従来の疑似餌と比較してより活烏賊の泳ぎに近い動きをさせて誘魚効果を発揮し、魚の食い付きを高めることができる。また、中空部分に烏賊腑などの誘魚性物質を内封すれば疑似餌としての前記本発明の効果を高めることができる。
【発明を実施するための最良の形態】
【０００６】図１は本発明の疑似餌の一部切除した概略図であり、まず、疑似餌本体１は、柔軟性を有する天然もしくは合成樹脂又は天然もしくは合成ゴム、例えば軟質ポリ塩化ビニルからなり、胴部２、頭部３及び足部４に相当する部分の形状を有し、胴部２から足部４側に向かって開口した中空部分５を有する。足部４は、成型時に個々の足に分かれるようにするか、成型後のスリット加工にて個々の足に分離されている。この場合の疑似餌本体の肉厚は全体にわたって均一でも良いが、勿論不均一でも良く、例えば、胴部２と頭部３又は頭部３と足部４との境界部分あるいは足部の一部を薄肉とすることによって、潮流あるいは波による本疑似餌の揺動（あおり）により、活烏賊に近い動きを与えることができる。また、胴部先端部２ａを厚肉とすることによって、錘を疑似餌本体内に埋め込み易くなり、また枝縄挿入部分を補強することができる。なお、疑似餌を形成する柔軟性のある天然もしくは合成樹脂又はゴムとしては、通常疑似餌の材料として使用されている、例えば軟質の塩化ビニル系、ビニルアルコール系、アクリル系、エステル系あるいは各種ゴム、それらの発泡体あるいはゲルなどが採用可能である。さらに、ポリ乳酸系などの生分解性のプラスチックで形成する場合には、破損して海中に浮遊、沈殿した場合の汚染をなくするのに好都合である。また、疑似餌本体は誘魚効果のある色に着色したり、表面又は透明層を表面に有する場合はその下層に蛍光色あるいはメタリック層を配したりすることもできる。【０００７】枝縄７（釣元またはハリス）は該疑似餌本体１の胴部先端部２ａより挿入されて、胴部中空部分５を通って頭部３乃至足部４側へ案内され、該枝縄端部に取り付けられた釣針８が足部４の部分に位置している。なお、釣針８は少なくとも部分的に疑似餌の足部５の内側に隠れる方が一般には良いが、例えば釣針の頂部８ｃから針先の方が疑似餌足部の外側に露出していても差し支えなく、その程度は浮体の装着位置、釣針形状あるいは後述する浮体１０と釣針の固着形態などとの関係で調節可能である。【０００８】また、この例における錘６は、枝縄７に通されて疑似餌本体１の胴部２の先端２ａ近傍において中空部分５内部に位置している。錘６は、疑似餌を取り付けた枝縄を幹縄に接続し、延縄として海中に投入したとき、枝縄を幹縄から海中に確実かつ安定に垂下させ、疑似餌を所定水深の水域に泳がせるためのものであり、したがって、該錘は必ずしも前述のように枝縄に通す必要はなく、別途疑似餌本体１の胴部先端部２ａ付近に埋め込まれていてもよい。ただし、前述した枝縄に別途錘を装着する方法を採用することは、疑似餌本体の成型が簡単となり、有利である。【０００９】本発明の図１の疑似餌は、前記構造の疑似餌において、頭部３乃至胴部４に相当する部分の中空部分５に柱状又は密閉筒状の浮体１０を少なくとも一部装着したものである。ここでは、該浮体１０は、図２に示すように表面に長さ方向に沿った溝部又は切れ目１０ａを有し、この溝部又は切れ目１０ａに少なくとも釣針８の元部８ａ乃至幹部８ｂの一部を嵌め込むことによって釣針６を浮体１０に固着、保持しており、この状態で前記浮体１０を疑似餌の頭部３乃至胴部４に相当する部分の中空部分５へ、その開口部５ａから差込むことによって、釣針８が足部４に位置するようにセットされている。図３に示すものは、浮体１０が中央部に貫通孔１０ｂと、該貫通孔から外方に向けて釣針の太さより狭いスリット１０ｃとを備えた独立気泡体からなり、前記貫通孔１０ｂ及びスリット１０ｃ内に少なくとも釣針の元部８ａを挟むようにして、浮体１０に釣針８を保持したもので、図１の場合と同様、釣針８を保持した該浮体１０を疑似餌本体１の足部開口部５ａから中空部５に差込むことにより、釣針８を足部４に位置するようにセットすることもできる。なお、該貫通孔１０ｂ及びスリット１０ｃ内に枝縄を挟むようにして、釣針８を浮体１０に間接的に保持しつつ、足部４位置にセットできる。他に、浮体に釣針を固定又は保持する構造としては、浮体に釣針が貫通し得る縦長のスリットを設けて、そこに釣針を通してその一部を挟むもの、二本の浮体を部分的に一体化して、その間に釣針の一部を挟むもの、棒状の樹脂発泡体からなりそれを少なくとも部分的に折り曲げて、その折曲げ部分に釣針を通すようにしてその一部を保持するもの等が考えられ、採用し得る。【００１０】さらに、浮体１０は、図４のように、枝縄７や釣針８とは独立して、足部側開口部５ａから中空部分５に差込むように装着してもよく、この場合、浮体１０を疑似餌本体の中空部分５に装着する前に、釣針８付きの枝縄７を疑似餌本体の中空部分に案内して釣針の位置決めを行っておくことが望ましい。この構造においては、枝縄７もしくは釣針８を浮体１０と疑似餌中空部５の内壁との間で挟持し、間接的にあるいは直接的に釣針８を疑似餌足部４に保持し得る。なお、図１〜図４において、浮体１０は全ての部分が胴部２と頭部３の中空部分５の内部に収まっている必要はなく、足部４内部に延長されていても良く、該延長部分は先細や細く枝分かれさせることができ、このようにすることで疑似餌の水中での動きをさらに変化させることも可能である。なお、疑似餌本体１の中空部分５に浮体１０を挿入して取り付けるとき、該中空部分５内の空気がすべて押し出されずに残り、疑似餌の沈降を妨げる場合があるので、この空気を抜くために、図１及び図４に示すように、中空部分５から外部に連通する空気抜孔５ｂを設けておくことが望ましい。この孔は直径数ｍｍ程度で十分である。また、図中９は、錘６と釣針８の間で枝縄７に装着されるチューブ体であり、錘６を疑似餌胴部先端部２ａ付近に保持させると同時に釣針８を足部４の所定の位置にセットさせる作用をする。このチューブ体９は、例えば錘６が疑似餌本体内に生め込まれている場合には必ずしも必要とはせず、また、該チューブ体の代わりに錘６の位置決めを行うには、枝縄に結び目などを形成させることで十分である。【００１１】なお、本発明において、浮体１０は疑似餌の頭部３乃至足部４に対して浮力を与え、疑似餌本体、錘及び釣針を含む疑似餌の重量乃至浮力とのバランスをはかり、場合によっては疑似餌本体１から突き出た部分の枝縄７の剛性も勘案して、海水中で枝縄で吊ったとき疑似餌がほぼ水平状態を保つようにするためのものであって、各種天然もしくは合成樹脂又はゴムからなる独立気泡体又は密閉型の浮力の大きい中空体が有効である。本発明において、疑似餌がほぼ水平状態を保つとは、枝縄を基点としてそこを通る水平線に対して、頭部側の上方又は下方への傾き、すなわち該水平線と疑似餌の長さ方向の軸線とのなす角度が３０度以内の状態をいうもので、それ以上の角度に傾斜すると、従来の疑似餌と同様に水中での動きが活烏賊のものから遠退いて好ましくない。【００１２】また、本発明では、好ましくは海水中で枝縄により吊られた疑似餌がほぼ水平状態を保たせるとき、足部にセットされた釣針が自重によって下方に垂れ下がって釣針全体が足部から大きくはみ出さないようにするためには、釣針８の頂部８ｃと元部８ａを結ぶ線Ｘが疑似餌の長さ方向軸線Ｙとほぼ平行になるようにするのが良い。好ましくは両者のなす角度は３０度以下である。このためには、ある程度の硬さと弾力性、弾性回復性を有する樹脂やゴム、例えばポリエチレン独立気泡体などからなる浮体を採用し、図２又は図３のように浮体１０にて釣針８を固着、保持させたり、あるいは図４に示すように浮体１０と疑似餌中空部５の内壁との間で釣針８を挟みつけて保持させる手段が有効である。また、同じ目的で、図５に示すように、掴み部分１１ａ及び／又は１１ｂを有する金属又は硬質の樹脂からなる棒状あるいは管状の補助材１１を、枝縄７（あるいはチューブ体９）から釣針８にわたって沿わせ、少なくとも釣針元部８ａ乃至幹部８ｂを掴み部に保持させた状態で、好ましくは前記釣針元部８ａ乃至幹部８ｂと枝縄７（あるいはチューブ体９）の両方をそれぞれ掴み部に保持させた状態で、浮体１０とともに疑似餌本体内に装着することもできる。この場合、浮体１０は硬いものである必要はなく、例えば柔軟性と弾力性を有しているものであれば良い。【００１３】本発明では、海水中において枝縄で吊った状態を保つときに、該疑似餌にほぼ水平状態を保たせるためには、疑似餌全体の浮力と関係する疑似餌本体の体積、錘及び釣針の重量を勘案し、浮体種類と大きさ及び浮体の装着位置を決める必要があるが、それらは実験的に決めるのが有効である。
【実施例】
【００１４】以下、基本的に図１によって説明するが、浮体１０は後述するように図１とは別の構造のものを用いた。軟質ポリ塩化ビニルを用いて、胴部２、頭部３及び足部４を型取り、内部に頭部側で開口した直径２ｃｍの中空部５を有する長さ３０ｃｍ、最大部太さ３．５ｃｍの烏賊型疑似餌本体１を成型する。なお、疑似餌本体の平均肉厚は８ｍｍとした。一方、直径２．３ｍｍ（＃２００）の枝縄用テグス７の先端に４．０寸（太さ５ｍｍ）のマグロ延縄用釣針８を取りつけ、内径３ｍｍ、外形４．５ｍｍ、長さ１２ｃｍの硬質ポリウレタン製チューブ９と、底辺直径２０ｍｍ、高さ３０ｍｍの三角錐形で中央に枝縄通用孔を有する重さ６５ｇの錘６を順次枝縄７に通したものを準備する。さらに、内部に直径１．６ｍｍのアルミニウム線を有する、直径１．２ｃｍ長さ４４ｃｍ、見かけ比重０．０７４のポリエチレン製独立気泡体を半分に折り曲げて２２ｃｍ長の浮体基部を作り、別途用意した長さ１０ｃｍの前記と同様のポリエチレン製独立気泡体補助部材を、その一端部を前記浮体基部の折曲げ端部に合わせて両者を揃え、該補助部材の他端部において両者を接着テープにて一体化し、折曲げ端部と反対側の二本に分かれている浮体基部に熱収縮樹脂チューブを被覆して熱収縮させた浮体１０を準備する。【００１５】次いで、前記浮体１０の基部の折曲げ部分に枝縄端の釣針８を通して、その幹部８ｂを挟むように保持させた後、枝縄７の他端を疑似餌本体の胴部先端部２ａから引き出し、浮体１０の収縮させた部分を、疑似餌本体１の頭部開口部５ａより内部中空部分５に挿入し、釣針８とそれを保持する浮体の折り曲げ部分及び補助部材の部分を足部４に位置させ、疑似餌１とする。
この疑似餌を、枝縄によって吊るすように水槽の海水中に沈めたところ、該疑似餌はほぼ水平の状態を保ちながら沈み、水槽を動かして海水を動かしたところ、疑似餌本体の胴部先端の枝縄引出部を基点として、疑似餌が上下に揺れかつその足部があおるような活烏賊に類する動きを示した。これに対して、浮体を除いた以外は同様に構成した疑似餌比較品を同様に海水中沈めたところ、該比較品は足部を下に枝縄から垂下した状態であり、海水の動きによっても比較品の動きは活烏賊の動きとは遠いものであった。
【産業上の利用可能性】
【００１６】本発明の疑似餌は、マグロ、サメの延縄用に利用されるが、他にトローリング用疑似餌、キャスト用ルアーなどにアレンジして利用することが可能である。
【図面の簡単な説明】
【００１７】
【図１】本発明における疑似餌の一例を示す一部断面を含む正面模式図である。
【図２】本発明における疑似餌の浮体と釣針を固着する構造例を示す概略斜視図である。
【図３】本発明における疑似餌の浮体と釣針を固着する他の構造例を示す概略斜視図である。
【図４】本発明における疑似餌の他の一例を示す一部断面を含む正面模式図である。
【図５】本発明の疑似餌を水平にした時に、釣針が下方に垂れ下がらないようにするための補助材を示す概略斜視図である。
【図６】従来の疑似餌の一例を示す一部断面を含む正面模式図である。
【符号の説明】
【００１８】１：疑似餌本体
２：疑似餌本体の胴部
３：疑似餌本体の頭部
４：疑似餌本体の足部
５：疑似餌本体の中空部
５ａ：中空部分５の頭部側開口部
６：錘
７：枝縄
８：釣針
９：チューブ体
１０：浮体
【図１】
2006087410.tif 000003
【図２】
2006087410.tif 000004
【図３】
2006087410.tif 000005
【図４】
2006087410.tif 000006
【図５】
2006087410.tif 000007
【図６】
2006087410.tif 000008